(57)【要約】【課題】指紋センサによる本人確認の信頼性を向上させたＩＣカードを提供する。ＩＣカードに電力を安定的に供給する。【解決手段】ＩＣカード１０は、指紋を読み取り、指紋データを生成する接触式の指紋センサ１２と、複数の指の指紋データを予め記憶する記憶部と、ユーザの複数の指に対して指紋センサ１２で生成した指紋データと記憶部に記憶された指紋データを比較して一致するか否かを判断する制御部とを備える。給電ユニット２０は、交番磁束を発生して、ＩＣカード１０に印加することにより、ＩＣカード１０に給電する。【選択図】図２
2019197256.tif 000002
【特許請求の範囲】
【請求項１】
指紋を読み取り、指紋データを生成する接触式の指紋センサと、
複数の指の指紋データを予め記憶する記憶部と、
ユーザの複数の指に対して前記指紋センサで生成した指紋データと前記記憶部に記憶された前記指紋データを比較して一致するか否かを判断する制御部と、
を備えるＩＣカード。
【請求項２】
指紋を読み取り、指紋データを生成する指紋センサと、
指紋データを予め記憶する記憶部と、
アンテナと、
前記アンテナの共振周波数を変更する共振周波数変更部と、
前記アンテナに誘起した電圧から動作電圧を生成する電源部と、
前記電源部の生成する前記動作電圧を用いて動作し、前記指紋センサが生成した前記指紋データと前記記憶部に記憶されている前記指紋データを比較することにより認証処理を行い、認証失敗の場合に、前記共振周波数変更部に前記アンテナの共振周波数を変更させる制御部と、
を備えるＩＣカード。
【請求項３】
前記記憶部は、前記認証失敗の回数をその値として記憶するフラグをさらに記憶し、
前記制御部は、前記フラグの値が予め定められた回数以上である場合に、前記共振周波数変更部に前記アンテナの共振周波数を変更させる、
請求項２に記載のＩＣカード。
【請求項４】
指紋センサを備えるＩＣカードに電力を非接触給電するための給電ユニットであって、
前記指紋センサを露出した状態で前記ＩＣカードを支持する支持部と、
バッテリと、
前記バッテリに蓄積されている電力を用いて、交番磁束を生成し、前記支持部に支持された前記ＩＣカードに印加する給電回路と、
を備える給電ユニット。
【請求項５】
前記給電回路は、前記ＩＣカードから、該ＩＣカードに前記給電ユニットの使用が許可されているか否かを判別するための情報を取得し、前記情報に基づいて、許可されてない場合に、磁束の印加を停止する、
請求項４に記載の給電ユニット。
【発明の詳細な説明】
【技術分野】
【０００１】
本発明は、ＩＣカードおよび給電ユニットに関する。
【背景技術】
【０００２】
スマートフォンなどの携帯端末から、インターネット等を利用して品物を購入したり、大切な情報を交換したりする場合に、本人であること証明する必要がある。このため、指紋認証機能を備えるＩＣカードが開示されている（例えば、特許文献１，２）。
【先行技術文献】
【特許文献】
【０００３】
【特許文献１】特開２００２−１５０２５６号公報
【特許文献２】特開２０１２−２２１２６４号公報
【発明の概要】
【発明が解決しようとする課題】
【０００４】
特許文献１及び２に開示されたＩＣカードは、接触式の指紋センサを備える。接触式の指紋センサは、接触した指の指紋を読み取って処理する。従って、指紋センサ上に指紋跡が残ってしまい、指紋跡をコピーして、指紋センサに読み込ませると、本人確認ができてしまう。また、非接触式の指紋センサも知られているが、構造が複雑且つ高価であり、ＩＣカードへの適用は困難である。
【０００５】
指紋センサは、指紋情報を処理するための高性能な演算部を必要とする。このような演算部を駆動するために、比較的大きな電力を安定して供給する必要がある。特許文献１に開示された構成では、電源を携帯端末本体からＩＣカードに供給する。しかし、バッテリ容量の小さい携帯端末からＩＣカードに十分な電力を安定して供給することは困難である。
【０００６】
また、特許文献２に記載の構成では、ＩＣカード自体が電池を搭載している。しかし、ＩＣカードのサイズは規格で定まっており、この規格で定められているサイズ内に大容量の電池を配置することは困難である。
さらに、ＩＣカードのサイズ内に収まる小型の電池には、充電式電池を使用することが多い。充電式電池は、頻繁に充放電を繰り返すと、その寿命が２年程度となる場合が多い。しかし、ＩＣカードに搭載された電池は、交換が難しい。このため、ＩＣカードに搭載された充電式電池の寿命がくると、ＩＣカードの他の機能が使用できる場合であっても、ＩＣカードそのものを破棄することになる。したがって、ＩＣカードの運営会社は、ＩＣカードの再発行と交換の費用がかかることとなる。
【０００７】
同様の課題は、指紋以外の認証機能を擁するＩＣカードに共通して存在する。
【０００８】
本発明はこれらの課題を解決するものであり、認証精度の高い認証機能付ＩＣカードを提供することを目的とする。
また、本発明は、ＩＣカードに安定的に電力を供給できる技術を提供することを目的とする。
【課題を解決するための手段】
【０００９】
上記の目的を達するため、本発明に係るＩＣカードは、
指紋を読み取り、指紋データを生成する接触式の指紋センサと、
複数の指の指紋データを予め記憶する記憶部と、
ユーザの複数の指に対して前記指紋センサで生成した指紋データと前記記憶部に記憶された前記指紋データを比較して一致するか否かを判断する制御部と、
を備える。
【発明の効果】
【００１０】
本発明に係るＩＣカード及び給電ユニットによれば、指紋センサを用いた本人確認の信頼性を向上させるとともに、ＩＣカードに安定的に電力を供給することができる。
【図面の簡単な説明】
【００１１】
【図１】本発明の実施の形態に係るカード決済システムの概要図である。
【図２】（ａ）は実施の形態１に係るＩＣカードの外観図、（ｂ）は実施の形態に係る給電ユニットの外観図、（ｃ）は実施の形態に係るＩＣカードを給電ユニットに挿入した場合の外観図である。
【図３】実施の形態に係るＩＣカードのブロック図である。
【図４】実施の形態に係るＩＣカードのアンテナと電源部の構成を示す図である。
【図５】実施の形態に係るＩＣカードのアンテナの共振周波数をその変化を説明するための図である。
【図６】実施の形態に係る給電ユニットの構成図であり、（ａ）は正面図、（ｂ）は断面図である。
【図７】実施の形態に係る給電ユニットのブロック図である。
【図８】実施の形態に係るＩＣカードの指紋認証処理のフローチャートである。
【発明を実施するための形態】
【００１２】
以下に、本発明を実施するための形態について、図面を参照して詳細に説明する。
本実施の形態は、指紋認証機能を備えるＩＣ（Ｉｎｔｅｇｒａｔｅｄ  Ｃｉｒｃｕｉｔ）カードを用いてユーザを認証することにより、電子商取引を可能とするカード決済システムである。
【００１３】
（実施の形態）
本実施形態のカード決済システム１００は、図１に示すように、ＩＣカード１０にアクセスするリーダ／ライタ１と、通信機能と情報処理機能を備える携帯端末２と、インターネット等のネットワーク３を介して、携帯端末２に接続されたサーバ装置４とから構成される。
【００１４】
ＩＣカード１０は、指紋認証機能を備える。ここでは、理解を容易にするため、ＩＣカード１０を、指紋認証機能を備えるクレジットカードであるとする。ＩＣカード１０は、使用時には、給電ユニット２０に装着され、給電ユニット２０から電力の供給を受けて動作する。
【００１５】
リーダ／ライタ１は、ＩＣカード１０を挿入するためのスリットを備える。ＩＣカード１０は、給電ユニット２０に挿入されたままの状態で、リーダ／ライタ１のスリットに装着可能である。リーダ／ライタ１は、携帯端末２に、ケーブル、例えば、ＵＳＢ（Ｕｎｉｖｅｒｓａｌ  Ｓｅｒｉａｌ  Ｂｕｓ）ケーブルを介して接続され、携帯端末２からの指示に従ってＩＣカード１０をアクセスする。
【００１６】
給電ユニット２０は、非接触給電により、ＩＣカード１０に指紋認証に必要な電力を供給する。給電ユニット２０の詳細は後述する。
【００１７】
携帯端末２は、スマートフォン、携帯情報端末等から構成される。携帯端末２は、ネット接続機能を備える。本実施の形態では、携帯端末２は、サーバ装置４とアクセスして、指紋によるユーザ認証を伴う処理を行う。処理の種類は任意であるが、以下では、処理の種類を電子商取引として説明する。
【００１８】
サーバ装置４は、ネットワーク３を介して携帯端末２と通信を行って、電子商取引サービスを提供する。
【００１９】
次に、ＩＣカード１０と給電ユニット２０の詳細について説明する。
図２（ａ）はＩＣカード１０の外観図、図２（ｂ）は給電ユニット２０の外観図、図２（ｃ）はＩＣカード１０を給電ユニット２０に挿入した場合の外観図である。
【００２０】
図２（ａ）に示すように、ＩＣカード１０は、一面に、接続端子部１１と、指紋センサ１２と、読取ＬＥＤ１３を備える。
【００２１】
接続端子部１１は、複数の端子を備え、ＩＣカード１０がリーダ／ライタ１のスリットに挿入された際に、スリット内に設けられた接続端子に電気的に接続される。
【００２２】
指紋センサ１２は、圧力センサ、画像センサ等から構成され、ユーザの指紋を読み取る。
【００２３】
読取ＬＥＤ（Ｌｉｇｈｔ  Ｅｍｉｔｔｉｎｇ  Ｄｉｏｄｅ）１３は、指紋センサ１２が読み取った指紋が予め登録されている指紋と一致したか否かを、ユーザに提示する。
【００２４】
給電ユニット２０は、図２（ｂ）に示すように、スロット２１と、開口部２２と、給電ＬＥＤ２３から構成される。
【００２５】
スロット２１には、図２（ｃ）に示すように、ＩＣカード１０が挿入される。スロット２１は、ＩＣカード１０を支持する支持部の一例である。ＩＣカード１０を給電可能に支持できれば他の構成でもよい。
【００２６】
ここで、薄いＩＣカード１０だけの状態で、ユーザの指が指紋センサ１２を強く押圧すると、ＩＣカード１０および指紋センサ１２が曲がってしまう場合がある。指紋センサ１２が曲がってしまうと、正確にユーザの指紋を読み取ることができなくなる可能性が高い。このため、ＩＣカード１０の寿命が短くなってしまう。
【００２７】
そこで、本発明では、給電ユニット２０に開口部２２を設ける。この開口部２２は、給電ユニット２０に挿入されたＩＣカード１０の指紋センサ１２を露出する位置と形状に形成されている。ユーザは、開口部２２を介して指紋センサ１２に指先で触れることができる。これにより、給電ユニット２０がＩＣカード１０を支えるため、ＩＣカード１０および指紋センサ１２が曲がりにくくなる。このため、ＩＣカード１０の寿命を延ばすことができる。
【００２８】
給電ＬＥＤ２３は、給電ユニット２０からＩＣカード１０が電力を供給していることを報知するためのＬＥＤである。
【００２９】
次に、ＩＣカード１０のハードウエア構成について図３を参照して説明する。図示するように、ＩＣカード１０は、前述の接続端子部１１と指紋センサ１２と読取ＬＥＤ１３と、送受信部１４と、記憶部１５と、制御部１６と、アンテナ１７と、電源部１８と、バス１９と、を備える。
【００３０】
送受信部１４は、接続端子部１１を介して、リーダ／ライタ１の接続端子に接続され、リーダ／ライタ１を介して携帯端末２との間でデータを送受信する。
【００３１】
記憶部１５は、フラッシュメモリ等の不揮発性の記憶素子を備え、このＩＣカード１０のクレジットカード情報と、ユーザとして認定されている人物の指紋情報と、後述する認証プログラムを記憶している。指紋情報は、複数の指の指紋を特定する指紋情報を記憶する。指紋情報は、指紋そのものを示す情報、又は抽出した特徴情報のいずれでもよい。ここでは、人指し指、中指、薬指の３本の指の指紋の指紋情報が登録されているものとする。
【００３２】
制御部１６は、プロセッサ、ＲＡＭ（Ｒａｎｄｏｍ  Ａｃｃｅｓｓ  Ｍｅｍｏｒｙ）などを備え、記憶部１５に記憶されている認証プログラムを実行し、指紋認証処理を実行する。制御部１６は、指紋認証処理では、人指し指、中指、薬指の順に認証し、全ての指の認証が成功したときに、バス１９と送受信部１４と接続端子部１１を介して、記憶部１５に記憶されているクレジットカード情報をリーダ／ライタ１に送信する。指紋認証処理については後述する。
【００３３】
アンテナ１７は、本実施の形態では、受電専用のアンテナであり、図４に示すように、ループコイル１７ａとコンデンサ１７ｂとの直列回路から構成される。アンテナ１７は、ＩＣカード１０の周縁部に沿って形成されている。アンテナ１７には、交差磁束の強度が変化することにより、電圧が誘起される。アンテナ１７の直列共振周波数はｆ０に調整されている。
【００３４】
図３に示す電源部１８は、アンテナ１７の誘電起電力から動作電圧Ｖｄｄを生成し、ＩＣカード１０内の各部に供給する。電源部１８は、図４に示すように、全波整流回路１８１と平滑化回路１８２とスイッチ１８３とコンデンサ１８４と共振周波数変更部１８５とを備える。
【００３５】
全波整流回路１８１は、ダイオードブリッジ回路等から構成され、アンテナ１７の両端に接続され、アンテナ１７に誘起した交流電圧を全波整流して、直流電圧に変換する。
【００３６】
平滑化回路は、全波整流回路１８１が出力する直流電圧を平滑化し、さらに、電圧を規定電圧に調整して動作電圧Ｖｄｄを生成し、指紋センサ１２〜制御部１６及び自己に供給する。
【００３７】
スイッチ１８３は、一端がアンテナ１７に接続され、他端がコンデンサ１８４の一端に接続されている。コンデンサ１８４の他端は接地されている。スイッチ１８３は、通常時はオフしており、制御部１６からの切替信号に応答して、共振周波数変更部１８５の制御によりオンする。スイッチ１８３がオンすると、アンテナ１７にコンデンサ１８４が接続されるため、アンテナ１７の共振周波数は、図５に示すようにｆ０からｆ１にずれる。
【００３８】
共振周波数変更部１８５は、制御部１６からの切替信号に応答して、スイッチ１８３をオフ状態からオン状態（導通状態）に切り替え、アンテナ１７の共振周波数ｆ０からｆ１に変更する。
【００３９】
バス１９は、指紋センサ１２と読取ＬＥＤ１３と送受信部１４と記憶部１５と制御部１６と電源部１８の共振周波数変更部１８５とを相互に接続し、データを伝送する。
【００４０】
このような構成により、ＩＣカード１０に外部から交番磁束が印加されると、アンテナ１７に交流電圧が誘起される。全波整流回路１８１は、この誘起電圧を全波整流して、脈流電圧に変換して出力する。平滑化回路１８２は、脈流電圧を平滑化し、さらに、規定の電圧にレギュレートして動作電圧Ｖｄｄを出力する。この動作電圧Ｖｄｄが各部に供給されてＩＣカード１０が動作を開始する。
【００４１】
この状態で、制御部１６に指紋認証の指示がリーダ／ライタ１より供給されると、制御部１６は、記憶部１５に記憶されている認証プログラムを実行し、指紋認証処理を実行する。ここで、ユーザが指紋センサ１２に予め指定されている指を触れると、指紋センサ１２はその指紋を読み取り、指紋データを制御部１６に送る。
【００４２】
制御部１６は、受信した指紋データと記憶部１５に予め登録されている指紋データとを比較し、一致するか否かを判別する。制御部１６は、人差し指、中指、薬指について、判別処理を実行し、全ての指で指紋データが一致すると判別すると、バス１９と送受信部１４と接続端子部１１とリーダ／ライタ１を介して、携帯端末２にクレジットカード情報を送信する。
【００４３】
一方、制御部１６は、何れかの指紋が一致しないと判別すると、携帯端末２に指紋認証不成功を返信する。
【００４４】
次に、図２に示した給電ユニット２０の構成について、図６（ａ）、（ｂ）を参照して説明する。図６（ａ）は給電ユニット２０の正面図、図６（ｂ）は、図６（ａ）のＡ−Ａ’線での矢視断面図である。
【００４５】
図示するように、給電ユニット２０は、開口部２２と給電ＬＥＤ２３が配置された表面パネル２１１と、表面パネル２１１に側面パネル２１２を介して接合される裏面パネル２１３から構成される。表面パネル２１１と側面パネル２１２と裏面パネル２１３とは、ＩＣカード１０が挿入されるスロット２１を形成している。
【００４６】
裏面パネル２１３には、平板状のバッテリ２０１と、給電制御部２０２と、メモリ２０３と給電スイッチ２０４とアンテナ２０５が配置されている。これらの素子及び給電ＬＥＤ２３は、図７に示す給電回路を構成している。
【００４７】
バッテリ２０１は、ＩＣカード１０の動作電力を供給できる電力容量を備えている。バッテリ２０１は、例えば、交換可能なボタン電池、充電可能な二次電池から構成される。なお、二次電池を使用する場合には、図示せぬ充電回路を配置又は接続可能とする。
【００４８】
給電制御部２０２は、ＡＣ−ＤＣ回路を備え、ＩＣカード１０に電力を供給するために、バッテリ２０１に蓄積されているエネルギーから周波数ｆ０の交流電圧を生成し、アンテナ２０５に印加する。
【００４９】
メモリ２０３は、例えば、使用するＩＣカード１０の制御パラメータを記憶する。
【００５０】
給電ＬＥＤ２３は、前述のように、給電の状態をユーザに提示するためのＬＥＤであり、例えば、赤、緑、青の三色に光ることができる多色ＬＥＤから構成される。給電制御部２０２は、給電ＬＥＤ２３を、給電が行えた場合は緑色で点灯し、給電が行えなかった場合は赤で点灯する。これにより、ユーザは、ＩＣカード１０に給電が行えたか否かを、容易に認識することができる
【００５１】
アンテナ２０５は、ＩＣカード１０がスロット２１に装着された状態で、アンテナ１７と対向する位置に配置されている。アンテナ２０５は、本実施の形態では、送電専用であり、交番磁束を発生する。発生した磁束は、スロット２１に装着されたＩＣカード１０のアンテナ１７と交差し、アンテナ１７に電圧を誘起する。
【００５２】
メモリ２０３は、周波数ｆ０等の制御パラメータを記憶する。
【００５３】
給電スイッチ２０４は、スロット２１内の所定位置に配置され、ＩＣカード１０が挿入された時にオンする。給電スイッチ２０４は、マイクロスイッチ等から構成され、バネ等の弾性部材で付勢されており、挿入されたＩＣカード１０を固定する機能も担っている。
【００５４】
次に、給電ユニット２０からＩＣカード１０への給電の動作について、説明する。給電ユニット２０のスロット２１にＩＣカード１０が挿入されると、給電スイッチ２０４が押圧されてオンし、バッテリ２０１から給電制御部２０２に電力が供給される。これにより、給電制御部２０２が動作を開始し、メモリ２０３から共振周波数ｆ０を読み出し、周波数ｆ０の交流電圧を生成し、アンテナ２０５に印加する。給電ＬＥＤ２３を緑で点灯させる。
【００５５】
交流電圧の印加により、アンテナ２０５には、周波数ｆ０の交流電流が流れ、周波数ｆ０の交番磁束を発生する。発生した交番磁束は、アンテナ１７と交差し、アンテナ１７に周波数ｆ０の交流電圧が誘起される。アンテナ２０５とアンテナ１７の共振周波数が共にｆ０に調整されているため、このエネルギー伝達効率は高い。全波整流回路１８１は、誘起された電圧を全波整流して、脈流電圧に変換する。平滑化回路１８２は、脈流電圧を平滑化し、規定の電圧にレギュレートして動作電圧Ｖｄｄを出力する。この動作電圧Ｖｄｄが各部に供給されてＩＣカード１０が動作を開始する。
【００５６】
ＩＣカード１０がスロット２１から抜かれると、給電スイッチ２０４がオフし、給電制御部２０２は動作を停止する。このため、アンテナ２０５への交流電圧の印加が停止し、アンテナ２０５は磁束の発生を停止し、給電ＬＥＤ２３は消灯する。また、ＩＣカード１０への外部磁束の印加がなくなり、アンテナ１７の電圧誘起が０となり、ＩＣカード１０は動作を停止する。
【００５７】
次に、ＩＣカード１０を用いて、指紋認証処理を行う動作を図８のフローチャートを参照して説明する。
【００５８】
前提として、ここでは、携帯端末２が、サーバ装置４との間で電子商取引の処理を行い、クレジットカード決済の場面にあると仮定する。携帯端末２は、リーダ／ライタ１を介してＩＣカード１０に、クレジットカード情報の提供を指示する。
【００５９】
制御部１６は、リーダ／ライタ１、接続端子部１１、送受信部１４を介してこの指示を受信し、指示に応答して、図８に示す指紋認証処理を開始する。
【００６０】
まず、制御部１６は、指紋読取回数ｎとエラーカウンタｍに１を設定する（ステップＳ２０１）。なお、本例では、ｎ＝１は、人差し指の認証工程、ｎ＝２は、中指の認証工程、ｎ＝３は、薬指の認証工程を意味する。また、ｍは各認証工程でのエラー数を示す。
【００６１】
一方、携帯端末２は、指紋認証のため、指紋読み取り装置に、人差し指、中指、薬指の順で、指紋センサ１２に触れるべきことを案内する。指紋センサ１２は、触れた指の指紋を読み取り、指紋データを制御部１６に送信する。
【００６２】
制御部１６は、指紋センサ１２が読み取った指紋データを取得し、特徴データを抽出する（ステップＳ２０２）。制御部１６は、予め記憶されているユーザの人差し指の指紋の特徴データを、記憶部１５から取得する（ステップＳ２０３）。制御部１６は、指紋センサ１２が読み取った指紋データの特徴データと、記憶部１５から取得した特徴データとを比較する（ステップＳ２０４）。
【００６３】
制御部１６は、指紋データが一致していれば（ステップＳ２０４：ＹＥＳ）、読取ＬＥＤ１３を緑でｎ回点滅させる（ステップＳ２０５）。続いて、指紋読取回数ｎが３以上か判断する（ステップＳ２０６）。指紋読取回数ｎが３以上であれば（ステップＳ２０６：ＹＥＳ）、人差し指の認証、中指の認証、薬指の認証が全て成功したことを意味し、記憶部１５からカード情報を読み出す。読み出したカード情報を、バス１９と送受信部１４と接続端子部１１とリーダ／ライタ１とを介して携帯端末２に送信する（ステップＳ２０８）。
【００６４】
一方、指紋読取回数ｎが３以上でなければ（ステップＳ２０６：ＮＯ）、指紋読取回数ｎに１を加算し、ｍ＝０とする（ステップＳ２０７）。次の指の指紋の認証のため、ステップＳ２０２に戻り、同様の処理を実行する。
【００６５】
一方、ステップＳ２０４で、指紋データが一致しないと判別した場合（ステップＳ２０４：ＮＯ）、エラーカウンタｍ＝ｍ＋１とし（ステップＳ２０９）、ｍが３以下か判別する（ステップＳ２１０）。ｍが３以下の場合は（ステップＳ２１０：ＹＥＳ）、読取ＬＥＤ１３を赤でｍ回点滅させる（ステップＳ２１１）。その後、リトライのため、制御はステップＳ２０２に戻る。
【００６６】
ステップＳ２１０で、ｍ＞３と判別された場合は（ステップＳ２１０：ＮＯ）、１回の認識工程で認識エラーが４回以上発生したことを意味し、制御部１６は、読取ＬＥＤ１３を赤で点灯させる（ステップＳ２１２）。制御部１６は、電源部１８の共振周波数変更部１８５を制御して、スイッチ１８３を閉動作させ、アンテナ１７にコンデンサ１８４を接続し、アンテナ１７の共振周波数をｆ１に変更する（ステップＳ２１３）。共振周波数がｆ０からｆ１にずれたため、アンテナ１７には大きな電圧が誘起されなくなり、動作電圧Ｖｄｄの供給が停止し、ＩＣカード１０の動作は実質的に停止する。なお、スイッチ１８３は、電力の供給が停止しても、閉状態を維持する。
【００６７】
こうして、ｍ回以上認証に失敗したＩＣカード１０については、以後の使用は困難となる。
【００６８】
以上説明したように、本実施の形態においては、ＩＣカード１０に給電ユニット２０から動作用の電力を供給し、携帯端末２からは電力を供給する必要がない。このため、携帯端末２のバッテリを消耗することなく、安定して認証処理を行うことができる。
【００６９】
指紋の不一致が繰り返された場合には、ＩＣカード１０のアンテナ１７の共振周波数を変更することにより、ＩＣカード１０への電力の供給が停止し、ＩＣカード１０は動作を実質的に停止する。このため、ＩＣカード１０を利用した不正行為が起こりにくい。
【００７０】
複数の指の指紋を指紋センサ１２に順番に読み込ませ、予め登録されている指紋と照合することにより、本人確認を行う。これにより、指紋センサ１２の読み取り面に残っている指紋跡をコピーして、指紋センサ１２に読み込ませても、認証ができないため、信頼性が向上する。
【００７１】
（変形例）
この発明は、上記実施の形態に限定されず、種々の変形及び応用が可能である。
【００７２】
例えば、上記実施の形態においては、指紋認証の手順として、人差し指の認証、中指の認証、薬指の認証を行う例を示した。これに限定されず、認証に使用する指は任意であり、その数も２、４以上でもよい。また、認証に使用する指の順番を特定しなくてもよい。また、認証に使用する指は、片手の指だけではなく、両手の指を任意に組み合わせてもよい。
【００７３】
例えば、認証失敗の場合にＩＣカード１０を使用できなくするために、上記実施の形態においては、アンテナ１７の共振周波数を変更する手法を採用したが、制御部１６が一定時間自己の動作を停止する等他の手法を採用することも可能である。
【００７４】
また、例えば、上記実施の形態においては、１回認証を失敗するとＩＣカード１０を使用できなくする例を示した。これに限定されず、予め定められた回数認証を失敗するとＩＣカード１０を使用できなくしてもよい。
【００７５】
例えば、認証失敗の回数を計上するためのフラグを、ＩＣカード１０の記憶部１５に備えてもよい。このフラグの値は、初期値を０とし、ＩＣカード１０の認証が失敗する毎に加算されるものとする。フラグの値は、続けて認証が失敗した場合に加算されてもよい。フラグの値が予め定められた回数以上になった場合には、ＩＣカード１０を使用できなくする。また、フラグの値が、予め定められた回数以上の値になる前に認証が成功した場合には、フラグの値を初期値に戻してもよい。
【００７６】
なお、不連続に認証が失敗した場合、すなわち、前回のＩＣカード１０の使用時における認証失敗の状況をフラグに保持させておき、そのフラグに認証失敗の回数を加算させてもよい。この場合、フラグの値は、予め定められた回数以上の値になる前に認証が成功した場合に、フラグの値を初期値に戻さないものとしてもよい。
【００７７】
給電ユニット２０の外観、構造等は適宜変更可能である。
【００７８】
また、上記実施の形態においては、ＩＣカード１０の電源部１８には、全波整流回路１８１を採用したが、半波整流回路であってもよい。
【００７９】
ＩＣカード１０の記憶部１５には、例えば、セキュリティ機能のある国際的に承認されたＩＣメモリが用いられることが望ましい。例えば、指紋センサ１２の固有の番号、および制御部１６のＣＰＵ番号、固有ＩＤ番号を、予め記憶部１５に登録しておき、制御部１６が、記憶部１５から指紋データを読み出す際に、指紋センサ１２及び制御部１６から取得した固有の番号、ＣＰＵ番号、固有ＩＤ番号と比較し、正当性を検証することが望ましい。なお、ＩＣカード１０が決済関係に使用される場合には、セキュリティ機能のある国際的に承認されたＩＣメモリを用いることが義務づけられている。
【００８０】
また、ＩＣカード１０内の指紋センサ１２の固有の番号、制御部１６のＣＰＵ番号等の複数のＩＤから生成されたセキュリティ信号を、記憶部１５に登録しておき、制御部１６が、記憶部１５から指紋データを読み出す際に、生成したセキュリティ信号と登録されているセキュリティ信号が一致するか比較し、正当性を検証することが望ましい。これにより、ＩＣカード１０のセキュリティ性を高くすることができる。
【００８１】
給電ユニット２０の外観、構造、回路構成等は適宜変更可能である。非接触給電の手法は種々提案されており、いずれの手法を採用することも可能である。
指紋認証の手法も、公知の手法を適宜使用可能であり、限定されるものではない。
【００８２】
例えば、給電ユニット２０は、ＩＣカード１０がスロット２１に挿入されると給電を開始し、ＩＣカード１０がスロット２１から抜かれると、給電を終了する手法を、上記の実施形態では採用した。しかしながら、この手法に限らず、例えば、動作電圧ＶｄｄがＩＣカード１０の各部に供給されると、ＩＣカード１０は、ユーザの指が指紋センサ１２に触れられるのを待つ待機状態になってもよい。この場合、ＩＣカード１０は、ユーザの指が指紋センサ１２に触れられると、動作を開始する。また、ユーザの指が指紋センサ１２に触れられずに一定時間が経過した場合には、ＩＣカード１０から給電ユニット２０に給電を停止させる指示を送信させてもよい。給電ユニット２０からＩＣカード１０への給電を再開する場合には、ユーザがＩＣカード１０を給電ユニット２０のスロット２１から引き出し、再度スロット２１に挿入すればよい。
【００８３】
なお、本発明の技術的範囲は、上記実施の形態と変形例によっては限定されない。本発明は特許請求の範囲に記載された技術的思想の限りにおいて、自由に応用、変形あるいは改良して、実施することができる。
【符号の説明】
【００８４】
１  リーダ／ライタ、２  携帯端末、３  ネットワーク、４  サーバ装置、１０  ＩＣカード、１１  接続端子部、１２  指紋センサ、１３  読取ＬＥＤ、１４  送受信部、１５  記憶部  １６  制御部、１７  アンテナ、１７ａ  ループコイル、１７ｂ  コンデンサ、１８  電源部、１９  バス、２０  給電ユニット、２１  スロット、２２  開口部、２３  給電ＬＥＤ、１００  カード決済システム、１８１  全波整流回路、１８２  平滑化回路、１８３  スイッチ、１８４  コンデンサ、１８５  共振周波数変更部、２０１  バッテリ、２０２  給電制御部、２０３  メモリ、２０４  給電スイッチ、２０５  アンテナ、２１１  表面パネル、２１２  側面パネル、２１３  裏面パネル
【図１】
2019197256.tif 000003
【図２】
2019197256.tif 000004
【図３】
2019197256.tif 000005
【図４】
2019197256.tif 000006
【図５】
2019197256.tif 000007
【図６】
2019197256.tif 000008
【図７】
2019197256.tif 000009
【図８】
2019197256.tif 000010